(57)【特許請求の範囲】
【請求項１】
下方の第１版部Ａと第１版部Ａの左右端部に結合される第２版部Ｂとからなる鉄筋コンクリート体の形成に使用される鉄筋キットであって、
第１版部Ａに設置される第１鉄筋枠１０と、第１鉄筋枠１０の左右両側に交差して左右の各第２版部Ｂに設置される互いに分離された一対の第２鉄筋枠２０とで構成されており、
第１鉄筋枠１０が鉄筋コンクリート体の長手方向に沿って平行に配置される複数の長手方向筋１１と、鉄筋コンクリート体の幅方向に沿って平行に配置され、長手方向筋１１に固着された複数の幅方向筋１２とで構成されており、
左右の各第２鉄筋枠２０が鉄筋コンクリート体の長手方向に沿って平行に配置される複数の長さ方向筋２１と、鉄筋コンクリート体の高さ方向に沿って平行に配置され、長さ方向筋２１に固着された複数の高さ方向筋２２とで構成されており、
左右の各第２鉄筋枠２０において、鉄筋コンクリート体の幅方向に延びて先端部が斜めに屈曲した第１延伸部２３を高さ方向筋２２の先端部に形成し、第１延伸部２３の先端部に鉄筋コンクリート体の長手方向に延びる第２延伸部２４を形成してあり、
第１鉄筋枠１０において、鉄筋コンクリート体の高さ方向に延びて先端部が斜め外向きに屈曲した第１延伸部１３を幅方向筋１２の左右両端部に形成し、第１延伸部１３の先端部に鉄筋コンクリート体の長手方向に延びる第２延伸部１４を形成してあり、
第１鉄筋枠１０と第２鉄筋枠２０との組み付けに当たって、第１鉄筋枠１０の最も外側にある長さ方向筋１１が第２鉄筋枠２０の高さ方向筋２２の内側面に係合し、第２鉄筋枠２０の高さ方向筋２２の第１延伸部２３が第１鉄筋枠１０の内側にある長さ方向筋１１の下面に係合し、第２鉄筋枠２０の高さ方向筋２２の第２延伸部２４が第１鉄筋枠１０の幅方向筋１２の上面に係合する一方、第１鉄筋枠１０の幅方向筋１２の第１延伸部１３が第２鉄筋枠２０の長さ方向筋２１の外側面に係合し、第１鉄筋枠１０の幅方向筋１２の第２延伸部１４が第２鉄筋枠２０の高さ方向筋２２の外側面に係合するようにした鉄筋コンクリート体用鉄筋キット。
【請求項２】
上下の第１版部Ａと第１版部Ａの左右端部に結合される第２版部Ｂとからなる鉄筋コンクリート体の形成に使用される鉄筋キットであって、
上下の各第１版部Ａに設置される第１鉄筋枠１０と、第１鉄筋枠１０の左右両側に交差して左右の各第２版部Ｂに設置される互いに分離された一対の第２鉄筋枠２０とで構成されており、
上下の各第１鉄筋枠１０が鉄筋コンクリート体の長手方向に沿って平行に配置される複数の長手方向筋１１と、鉄筋コンクリート体の幅方向に沿って平行に配置され、長手方向筋１１に固着された複数の幅方向筋１２とで構成されており、
左右の各第２鉄筋枠２０が鉄筋コンクリート体の長手方向に沿って平行に配置される複数の長さ方向筋２１と、鉄筋コンクリート体の高さ方向に沿って平行に配置され、長さ方向筋２１に固着された複数の高さ方向筋２２とで構成されており、
左右の各第２鉄筋枠２０において、鉄筋コンクリート体の幅方向に延びて先端部が斜めに屈曲した第１延伸部２３を高さ方向筋２２の先端部に形成し、第１延伸部２３の先端部に鉄筋コンクリート体の長手方向に延びる第２延伸部２４を形成してあり、
上下の各第１鉄筋枠１０において、鉄筋コンクリート体の高さ方向に延びて先端部が斜め外向きに屈曲した第１延伸部１３を幅方向筋１２の左右両端部に形成し、第１延伸部１３の先端部に鉄筋コンクリート体の長手方向に延びる第２延伸部１４を形成してあり、
鉄筋コンクリート体の下方における第１鉄筋枠１０と第２鉄筋枠２０との組み付けに当たって、第１鉄筋枠１０の最も外側にある長さ方向筋１１が第２鉄筋枠２０の高さ方向筋２２の内側面に係合し、第２鉄筋枠２０の高さ方向筋２２の第１延伸部２３が第１鉄筋枠１０の内側にある長さ方向筋１１の下面に係合し、第２鉄筋枠２０の高さ方向筋２２の第２延伸部２４が第１鉄筋枠１０の幅方向筋１２の上面に係合する一方、第１鉄筋枠１０の幅方向筋１２の第１延伸部１３が第２鉄筋枠２０の長さ方向筋２１の外側面に係合し、第１鉄筋枠１０の幅方向筋１２の第２延伸部１４が第２鉄筋枠２０の高さ方向筋２２の外側面に係合するようにし、
鉄筋コンクリート体の上方における第１鉄筋枠１０と第２鉄筋枠２０との組み付けに当たって、第１鉄筋枠１０の最も外側にある長さ方向筋１１が第２鉄筋枠２０の高さ方向筋２２の内側面に係合し、第２鉄筋枠２０の高さ方向筋２２の第１延伸部２３が第１鉄筋枠１０の内側にある長さ方向筋１１の上面に係合し、第２鉄筋枠２０の高さ方向筋２２の第２延伸部２４が第１鉄筋枠１０の幅方向筋１２の下面に係合する一方、第１鉄筋枠１０の幅方向筋１２の第１延伸部１３が第２鉄筋枠２０の長さ方向筋２１の外側面に係合し、第１鉄筋枠１０の幅方向筋１２の第２延伸部１４が第２鉄筋枠２０の高さ方向筋２２の外側面に係合するようにした鉄筋コンクリート体用鉄筋キット。
【発明の詳細な説明】
【０００１】
【発明の属する技術分野】
本発明は、上下一方または双方の第１版部と、該第１版部の左右端部に結合される第２版部とを有するコンクリート構造物やコンクリート二次製品等の鉄筋コンクリート体の形成に使用される鉄筋キットに関するものである。
【０００２】
【従来の技術】
側溝やボックスカルバートといったコンクリート二次製品では、製品の機械的強度を高めるために鉄筋が入れられている。この補強用鉄筋は成形用型枠内に組み込まれるものであるが、鉄筋の組立てには相応の熟練工の配置と作業時間の確保が必要である。
コンクリート二次製品の製造工場における鉄筋の組立て処理に代えて、作業環境と機会設備の整備された鉄筋加工の専門工場において鉄筋を１個または複数個のブロックに組み上げ、それらを製造工場に運搬することも提案されている。
【０００３】
しかしながら、あらかじめ組み上げられた鉄筋組立体は非常に嵩張るものであるため、保管や運搬時にスペースを無駄に消費し、保管や運搬コストがかさむものであった。
【０００４】
【発明が解決しようとする課題】
したがって本発明の目的は、第１鉄筋枠および第２鉄筋枠という基本単位に分けて予め組立てるため、保管や運搬時のスペースを節減することができるとともに、基本単位同士の最終組立てが強固になされる鉄筋コンクリート体用鉄筋キットを提供することである。
【０００５】
【課題を解決するための手段】
以下、添付図面中の参照符号を用いて説明すると、請求項１の発明の鉄筋コンクリート体用鉄筋キットは、下方の第１版部Ａと第１版部Ａの左右端部に結合される第２版部Ｂとからなる鉄筋コンクリート体の形成に使用される鉄筋キットであって、
第１版部Ａに設置される第１鉄筋枠１０と、第１鉄筋枠１０の左右両側に交差して左右の各第２版部Ｂに設置される互いに分離された一対の第２鉄筋枠２０とで構成されており、
第１鉄筋枠１０が鉄筋コンクリート体の長手方向に沿って平行に配置される複数の長手方向筋１１と、鉄筋コンクリート体の幅方向に沿って平行に配置され、長手方向筋１１に固着された複数の幅方向筋１２とで構成されており、
左右の各第２鉄筋枠２０が鉄筋コンクリート体の長手方向に沿って平行に配置される複数の長さ方向筋２１と、鉄筋コンクリート体の高さ方向に沿って平行に配置され、長さ方向筋２１に固着された複数の高さ方向筋２２とで構成されており、
左右の各第２鉄筋枠２０において、鉄筋コンクリート体の幅方向に延びて先端部が斜めに屈曲した第１延伸部２３を高さ方向筋２２の先端部に形成し、第１延伸部２３の先端部に鉄筋コンクリート体の長手方向に延びる第２延伸部２４を形成してあり、
第１鉄筋枠１０において、鉄筋コンクリート体の高さ方向に延びて先端部が斜め外向きに屈曲した第１延伸部１３を幅方向筋１２の左右両端部に形成し、第１延伸部１３の先端部に鉄筋コンクリート体の長手方向に延びる第２延伸部１４を形成してあり、
第１鉄筋枠１０と第２鉄筋枠２０との組み付けに当たって、第１鉄筋枠１０の最も外側にある長さ方向筋１１が第２鉄筋枠２０の高さ方向筋２２の内側面に係合し、第２鉄筋枠２０の高さ方向筋２２の第１延伸部２３が第１鉄筋枠１０の内側にある長さ方向筋１１の下面に係合し、第２鉄筋枠２０の高さ方向筋２２の第２延伸部２４が第１鉄筋枠１０の幅方向筋１２の上面に係合する一方、第１鉄筋枠１０の幅方向筋１２の第１延伸部１３が第２鉄筋枠２０の長さ方向筋２１の外側面に係合し、第１鉄筋枠１０の幅方向筋１２の第２延伸部１４が第２鉄筋枠２０の高さ方向筋２２の外側面に係合するように配置する。
【０００６】
請求項２の発明の鉄筋コンクリート体用鉄筋キットは、上下の第１版部Ａと第１版部Ａの左右端部に結合される第２版部Ｂとからなる鉄筋コンクリート体の形成に使用される鉄筋キットであって、
上下の各第１版部Ａに設置される第１鉄筋枠１０と、第１鉄筋枠１０の左右両側に交差して左右の各第２版部Ｂに設置される互いに分離された一対の第２鉄筋枠２０とで構成されており、
上下の各第１鉄筋枠１０が鉄筋コンクリート体の長手方向に沿って平行に配置される複数の長手方向筋１１と、鉄筋コンクリート体の幅方向に沿って平行に配置され、長手方向筋１１に固着された複数の幅方向筋１２とで構成されており、
左右の各第２鉄筋枠２０が鉄筋コンクリート体の長手方向に沿って平行に配置される複数の長さ方向筋２１と、鉄筋コンクリート体の高さ方向に沿って平行に配置され、長さ方向筋２１に固着された複数の高さ方向筋２２とで構成されており、
左右の各第２鉄筋枠２０において、鉄筋コンクリート体の幅方向に延びて先端部が斜めに屈曲した第１延伸部２３を高さ方向筋２２の先端部に形成し、第１延伸部２３の先端部に鉄筋コンクリート体の長手方向に延びる第２延伸部２４を形成してあり、
上下の各第１鉄筋枠１０において、鉄筋コンクリート体の高さ方向に延びて先端部が斜め外向きに屈曲した第１延伸部１３を幅方向筋１２の左右両端部に形成し、第１延伸部１３の先端部に鉄筋コンクリート体の長手方向に延びる第２延伸部１４を形成してあり、
鉄筋コンクリート体の下方における第１鉄筋枠１０と第２鉄筋枠２０との組み付けに当たって、第１鉄筋枠１０の最も外側にある長さ方向筋１１が第２鉄筋枠２０の高さ方向筋２２の内側面に係合し、第２鉄筋枠２０の高さ方向筋２２の第１延伸部２３が第１鉄筋枠１０の内側にある長さ方向筋１１の下面に係合し、第２鉄筋枠２０の高さ方向筋２２の第２延伸部２４が第１鉄筋枠１０の幅方向筋１２の上面に係合する一方、第１鉄筋枠１０の幅方向筋１２の第１延伸部１３が第２鉄筋枠２０の長さ方向筋２１の外側面に係合し、第１鉄筋枠１０の幅方向筋１２の第２延伸部１４が第２鉄筋枠２０の高さ方向筋２２の外側面に係合するようにし、
鉄筋コンクリート体の上方における第１鉄筋枠１０と第２鉄筋枠２０との組み付けに当たって、第１鉄筋枠１０の最も外側にある長さ方向筋１１が第２鉄筋枠２０の高さ方向筋２２の内側面に係合し、第２鉄筋枠２０の高さ方向筋２２の第１延伸部２３が第１鉄筋枠１０の内側にある長さ方向筋１１の上面に係合し、第２鉄筋枠２０の高さ方向筋２２の第２延伸部２４が第１鉄筋枠１０の幅方向筋１２の下面に係合する一方、第１鉄筋枠１０の幅方向筋１２の第１延伸部１３が第２鉄筋枠２０の長さ方向筋２１の外側面に係合し、第１鉄筋枠１０の幅方向筋１２の第２延伸部１４が第２鉄筋枠２０の高さ方向筋２２の外側面に係合するように配置する。
【０００７】
【発明の作用】
この鉄筋キットの第１鉄筋枠１０と第２鉄筋枠２０は、互いに分離して、第１鉄筋枠１０は第１鉄筋枠１０同士で個別に積み重ね収納され、第２鉄筋枠２０も第２鉄筋枠２０同士で個別に積み重ね収納することができ、これによって収納スペースの縮減が計られる。
鉄筋コンクリート体の製造工場や形成現場に搬入された鉄筋キットは、先ず最初に第１鉄筋枠１０を適当な平地や作業台上、あるいは鉄筋コンクリート体の形状や大きさによっては直接その成形用型枠内に寝かせ置き、第２鉄筋枠２０の第２延伸部２４が第１鉄筋枠１０の幅方向筋１２に当たらないように第１鉄筋枠１０の長手方向に少し位置をずらせた態様で、第２鉄筋枠２０の第１延伸部２３と第２延伸部２４を第１鉄筋枠１０の幅方向筋１２，１２間の空所に差し込む。
【０００８】
この差込み操作後、第２鉄筋枠２０の第１延伸部２３の全長が前記作業台や型枠の基準平面に当接するように少し引き起こした態様で、第２鉄筋枠２０を第１鉄筋枠１０の長さ方向にスライドさせる。このスライド操作は、第２鉄筋枠２０の高さ方向筋２２の根元部が第１鉄筋枠１０の幅方向筋１２の側面に当接するまで行われる。
前記位置までスライドさせたとき、第２鉄筋枠２０の高さ方向筋２２の第２延伸部２４は、第１鉄筋枠１０が鉄筋コンクリート体の下方側の第１版部Ａに配置されるものであるときには、幅方向筋１２の上面に係合し、第１鉄筋枠１０が鉄筋コンクリート体の上方側の第１版部Ａに配置されるものであるときには、幅方向筋１２の下面に係合し、また、第１鉄筋枠１０の幅方向筋１２の第２延伸部１４は各第２鉄筋枠２０の高さ方向筋２２の外側面に係合する。
このようにして組立てが完了した鉄筋キットは、鉄筋コンクリート体の成形用型枠内に格納し所定位置に据え付けられる。
【０００９】
成形用コンクリート３０が流し込まれたとき、鉄筋キットはコンクリートから圧力を受けるが、第１鉄筋枠１０の最も外側にある長さ方向筋１１が第２鉄筋枠２０の高さ方向筋２２の内側面に係合し、第２鉄筋枠２０の高さ方向筋２２の第１延伸部２３が第１鉄筋枠１０の内側にある長さ方向筋１１の下側面に係合し、第２鉄筋枠２０の高さ方向筋２２の第２延伸部２４が第１鉄筋枠１０の幅方向筋１２の上側面に係合する一方、第１鉄筋枠１０の幅方向筋１２の第１延伸部１３が第２鉄筋枠２０の長さ方向筋２１の外側面に係合し、第１鉄筋枠１０の幅方向筋１２の第２延伸部１４が第２鉄筋枠２０の高さ方向筋２２の外側面に係合することによって、第１鉄筋枠１０と左右一対の第２鉄筋枠２０が互いに突っ張り合うようにして結合されるため、第２鉄筋枠２０の自立性と組立て姿勢の自己保持性が一段と増強される。
【００１０】
請求項２の発明の鉄筋キットでは、鉄筋コンクリート体の下方における第１鉄筋枠１０と第２鉄筋枠２０との組み付けに当たって、第１鉄筋枠１０の最も外側にある長さ方向筋１１が第２鉄筋枠２０の高さ方向筋２２の内側面に係合し、第２鉄筋枠２０の高さ方向筋２２の第１延伸部２３を第１鉄筋枠１０の内側にある長さ方向筋１１の下面に係合し、第２鉄筋枠２０の高さ方向筋２２の第２延伸部２４が第１鉄筋枠１０の幅方向筋１２の上面に係合する一方、第１鉄筋枠１０の幅方向筋１２の第１延伸部１３が第２鉄筋枠２０の長さ方向筋２１の外側面に係合し、第１鉄筋枠１０の幅方向筋１２の第２延伸部１４が第２鉄筋枠２０の高さ方向筋２２の外側面に係合し、
また、鉄筋コンクリート体の上方における第１鉄筋枠１０と第２鉄筋枠２０との組み付けに当たって、第１鉄筋枠１０の最も外側にある長さ方向筋１１が第２鉄筋枠２０の高さ方向筋２２の内側面に係合し、第２鉄筋枠２０の高さ方向筋２２の第１延伸部２３が第１鉄筋枠１０の内側にある長さ方向筋１１の上面に係合し、第２鉄筋枠２０の高さ方向筋２２の第２延伸部２４が第１鉄筋枠１０の幅方向筋１２の下面に係合する一方、第１鉄筋枠１０の幅方向筋１２の第１延伸部１３が第２鉄筋枠２０の長さ方向筋２１の外側面に係合し、第１鉄筋枠１０の幅方向筋１２の第２延伸部１４が第２鉄筋枠２０の高さ方向筋２２の外側面に係合することによって、
上下一対の第１鉄筋枠１０と左右一対の第２鉄筋枠２０が互いに突っ張り合うようにして結合されるため、左右一対の第２鉄筋枠２０の自立性と組立て姿勢の自己保持性が一段と増強される。
【００１１】
【発明の実施の形態】
図１と図２に示した実施例では、第１鉄筋枠１０が４本の長手方向筋１１と３本の幅方向筋１２によって構成されている一方、第２鉄筋枠２０が２本又は３本の長さ方向筋２１と３本の高さ方向筋２２によって構成されているが、これら鉄筋の使用本数はこれに限定されるものではなく、形成対象の鉄筋コンクリート体の大きさに応じて適宜変更される。
また、第２鉄筋枠２０の全ての高さ方向筋２２の下端部に第１延伸部２３と第２延伸部２４を形成してあるが、高さ方向筋２２が多数あるときには、適当に間引くこともできる。同様に、第１鉄筋枠１０の全ての幅方向筋１２の下端部に第１延伸部１３と第２延伸部１４を形成してあるが、幅方向筋１２が多数あるときには、一部については省略することができる。
【００１２】
図１から図３は形成対象の鉄筋コンクリート体が断面U字形の側溝用ブロックである場合を示しており、下方側にのみある第１版部Ａは掘削溝部の底部に水平位置に配置され、左右一対の第２版部Ｂは垂直位置に配置され、両側からの土圧を支える。
図４と図５は形成対象の鉄筋コンクリート体がボックスカルバートである場合を示しており、下方側の第１版部Ａは掘削溝部の底面に水平に配置され、上方側の第１版部Ａは地表面より一定深さに埋められた位置にあり、上載荷重を支える。左右一対の第２版部Ｂは両側からの土圧を支える。
ボックスカルバートでは、第１版部Ａが上方と下方の両側にあるから、第２鉄筋枠２０の高さ方向筋２２の上端部にも前記した第１延伸部２３と第２延伸部２４を形成してある。第１鉄筋枠１０と第２鉄筋枠２０との結合形態等の点は側溝用ブロックについての前記説明と同じである。
【００１３】
図６は形成対象の鉄筋コンクリート体が断面逆U字形の可変勾配型側溝用ブロックである場合を示しており、第１版部Ａは上方側にだけあり、下方側は開放されている。第１鉄筋枠１０と第２鉄筋枠２０との結合形態等の点は側溝用ブロックについての前記説明と同じである。左右の第２版部Ｂを基礎コンクリート５の上に定置させたあと、前記下方側開放部には流水勾配に対応して底版コンクリート４０が打設される。第１版部Ａは道路面と同じレベルに配置され、適当な間隔で点検や掃除用開口部が形成される。
本発明の鉄筋キットは、上記の適用事例に限定されることなく、各種のコンクリート構造物やコンクリート二次製品の全体または一部分の形成に当たって広く使用できるものである。
【００１４】
【発明の効果】
請求項１の発明の鉄筋コンクリート体用鉄筋キットは、第１版部Ａに設置される第１鉄筋枠１０と、第１鉄筋枠１０の左右両側に交差して左右の各第２版部Ｂに設置される互いに分離された一対の第２鉄筋枠２０という基本単位に分割して構成されており、第１鉄筋枠１０と第２鉄筋枠２０は互いに分離して積み重ね収納することができるから、工場での保管時や施工現場への運搬時の嵩張りが少なく、保管スペースや運搬スペースを縮減することができ、コストの節減が行える。
【００１５】
第１鉄筋枠１０と第２鉄筋枠２０の組み立て時には、第１鉄筋枠１０の最も外側にある長さ方向筋１１を第２鉄筋枠２０の高さ方向筋２２の内側面に係合させ、第２鉄筋枠２０の高さ方向筋２２の第１延伸部２３を第１鉄筋枠１０の内側にある長さ方向筋１１の下面に係合させ、第２鉄筋枠２０の高さ方向筋２２の第２延伸部２４を第１鉄筋枠１０の幅方向筋１２の上面に係合させる一方、第１鉄筋枠１０の幅方向筋１２の第１延伸部１３を第２鉄筋枠２０の長さ方向筋２１の外側面に係合させ、第１鉄筋枠１０の幅方向筋１２の第２延伸部１４を第２鉄筋枠２０の高さ方向筋２２の外側面に係合させることによって、第１鉄筋枠１０と左右一対の第２鉄筋枠２０とが互いに突っ張り合うようにして結合されるため、左右一対の第２鉄筋枠２０の自立性と組立て姿勢の自己保持性が増強されており、成形用コンクリート３０の流し込み時などに第１鉄筋枠１０と第２鉄筋枠２０の結合が緩んでしまうことがない。鉄筋キットが設計通りの組み立て状態を維持したまま、これを取り巻いたコンクリート３０が硬化することによって、所要強度の鉄筋コンクリート体が的確に製造または形成される。
【００１６】
請求項２の発明の鉄筋キットでは、鉄筋コンクリート体の下方における第１鉄筋枠１０と第２鉄筋枠２０との組み付けに当たって、第１鉄筋枠１０の最も外側にある長さ方向筋１１を第２鉄筋枠２０の高さ方向筋２２の内側面に係合させ、第２鉄筋枠２０の高さ方向筋２２の第１延伸部２３を第１鉄筋枠１０の内側にある長さ方向筋１１の下面に係合させ、第２鉄筋枠２０の高さ方向筋２２の第２延伸部２４を第１鉄筋枠１０の幅方向筋１２の上面に係合させる一方、第１鉄筋枠１０の幅方向筋１２の第１延伸部１３を第２鉄筋枠２０の長さ方向筋２１の外側面に係合させ、第１鉄筋枠１０の幅方向筋１２の第２延伸部１４を第２鉄筋枠２０の高さ方向筋２２の外側面に係合させ、
また、鉄筋コンクリート体の上方における第１鉄筋枠１０と第２鉄筋枠２０との組み付けに当たって、第１鉄筋枠１０の最も外側にある長さ方向筋１１を第２鉄筋枠２０の高さ方向筋２２の内側面に係合させ、第２鉄筋枠２０の高さ方向筋２２の第１延伸部２３を第１鉄筋枠１０の内側にある長さ方向筋１１の上面に係合させ、第２鉄筋枠２０の高さ方向筋２２の第２延伸部２４を第１鉄筋枠１０の幅方向筋１２の下面に係合させる一方、第１鉄筋枠１０の幅方向筋１２の第１延伸部１３を第２鉄筋枠２０の長さ方向筋２１の外側面に係合させ、第１鉄筋枠１０の幅方向筋１２の第２延伸部１４を第２鉄筋枠２０の高さ方向筋２２の外側面に係合させることによって、鉄筋コンクリート体の上方と下方のいずれにおいても第１鉄筋枠１０と左右一対の第２鉄筋枠２０とが互いに突っ張り合うようにして結合されるため、左右一対の第２鉄筋枠２０の自立性と組立て姿勢の自己保持性が増強されており、成形用コンクリート３０の流し込み時などに第１鉄筋枠１０と第２鉄筋枠２０の結合が緩んでしまうことがない。鉄筋キットが設計通りの組み立て状態を維持したまま、これを取り巻いたコンクリート３０が硬化することによって、所要強度の鉄筋コンクリート体が的確に製造または形成される。
【図面の簡単な説明】
【図１】本発明の一実施例に係る鉄筋コンクリート体用鉄筋キットの分離状態の透視図である。
【図２】図１の鉄筋キットの組み立て状態の透視図である。
【図３】図１の鉄筋キットを使用したコンクリート二次製品（Ｕ字側溝用ブロック）の垂直断面図である。
【図４】本発明の別の実施例に係る鉄筋キットの分離状態の正面図である。
【図５】図４の鉄筋キットを使用した別のコンクリート二次製品（ボックスカルバート）の垂直断面図である。
【図６】本発明の鉄筋キットを使用したコンクリート二次製品（可変勾配型側溝用ブロック）の垂直断面図である。
【符号の説明】
１０  第１鉄筋枠
１１  長手方向筋
１２  幅方向筋
２０  第２鉄筋枠
２１  長さ方向筋
２２  高さ方向筋
２３  第１延伸部
２４  第２延伸部
３０  コンクリート
Ａ  鉄筋コンクリート体の第１版部
Ｂ  鉄筋コンクリート体の第２版部
【図１】
0003560942.tif 000002
【図２】
0003560942.tif 000003
【図３】
0003560942.tif 000004
【図４】
0003560942.tif 000005
【図５】
0003560942.tif 000006
【図６】
0003560942.tif 000007